(57)【要約】【課題】  汚水流量計の精度の検査方法であって、信頼性の高い精度が得られる方法を得ることを課題とする。【解決手段】  下水道に用いる流量計の精度検査方法であって、水の供給量調節方法を把握する工程と、供給量調節方法を用いて瞬時流量を変動させて水を供給する工程と、正しく計測できる比較用流量計により供給された水の量を計測する工程と、検査対象の流量計により比較用流量計で計測した水の量を計測する工程と、前記比較用流量計の計測値と前記検査対象の流量計の計測値との比較によって検査対象の流量計の精度を判断する工程とからなる下水道に用いる流量計の精度検査方法によって課題を解決する。【選択図】        図１
2014025787.tif 000002
【特許請求の範囲】
【請求項１】
下水道に用いる流量計の精度検査方法であって、
水の供給量調節方法を把握する工程と、
前記供給量調節方法を用いて瞬時流量を変動させて水を供給する工程と、
正しく計測できる比較用流量計により供給された水の量を計測する工程と、
検査対象の流量計により比較用流量計で計測した水の量を計測する工程と、
前記比較用流量計の計測値と前記検査対象の流量計の計測値との比較によって検査対象の流量計の精度を判断する工程とからなる下水道に用いる流量計の精度検査方法。
【請求項２】
前記供給量調節方法を把握する工程が、供給量に対応する給水装置のバルブの開く度合を把握する工程であることを特徴とする請求項１に記載の下水道に用いる流量計の精度検査方法。
【請求項３】
前記水の供給量が自動制御によって調節されることを特徴とする請求項１又は請求項２に記載の下水道に用いる流量計の精度検査方法。
【請求項４】
前記比較用流量計が上水道に用いる流量計であり、前記比較用流量計による計測が満管の状態で行われることを特徴とする請求項１から請求項３のいずれかに記載の下水道に用いる流量計の精度検査方法。
【請求項５】
給水装置と前記検査対象の流量計の間に流水が下降した後平坦に進みその後に再度上昇するコの字型の管系が設けられており、
前記コの字型の管系のうち下降した後の平坦な部分に前記比較用流量計が設けられており、
前記コの字型の管系の前後の上端にバルブが設けられており、
給水の停止と同時に前記バルブのうち後方のバルブを開けることにより前記後方のバルブよりも下流の水が全て流れることを特徴とする請求項１から請求項４のいずれかに記載の下水道に用いる流量計の精度検査方法。
【発明の詳細な説明】
【技術分野】
【０００１】
本発明は、公共下水道への汚水排出量の計測に用いる流量計（以下、「汚水流量計」と称す）の精度を検証する方法、及び検査システムに関する。
【背景技術】
【０００２】
下水道の使用料金は、原則として、下水道の使用量と上水道使用量は同等であるとみなされて上水道使用料を基準に算出される。しかし、散水、蒸発、水を調理に用いる等の事情により、事業者によっては上水道の使用量と下水道の使用量は異なる。そのような場合、精度の高い汚水流量計を用いて下水道の使用量を正確に計測することができれば、下水道料金減免制度を利用して下水道使用料を減額させることができる。
【０００３】
従来、汚水流量計の精度の検証は、例えば以下の方法で行われていた。まず、汚水流量計が設置された計測桝の上流で汚水をせき止める。次に、給水車を用いて計測桝の上流から給水し、給水量を、上水道の水量を計測する流量計（以下「量水器」と称す）を用いて計測する。、引き続き、量水器による計測地よりも下流において、精度検証の対象である汚水流量計によって計測し、量水器の示す値と汚水流量計の示す値を比較する。この方法は、量水器は全て計量法上の型式認定を受けており、ほぼ正しい流量を示すはずであることに基づいている。すなわち、精度検証の対象である汚水流量計の示す値が量水器の示す値と一致する場合には、当該汚水流量計の精度は高いと判断される一方、二つの値の差が大である場合には、当該汚水流量計の精度は低いと判断される。なお、従来の方法では、汚水流量計を流れる水量は、給水装置からの定流量方式（一定の流量・流速）等であり、変動給水（変動する流量・流速）ではなかった。
【０００４】
また、上水道の計測においては、量水器は満水状態で計測することを前提にしているところ、計測現場において、量水器を流れる水を完全な満水にできないために、量水器の計測値が正しい値を示していない場合があった。
【０００５】
下水道管路における流量測定構造を示すものとして、下記特許文献１及び特許文献２があるが、いずれにも汚水流量計の精度を検証するシステムに関する発明は記載されていない。
【先行技術文献】
【特許文献】
【０００６】
【特許文献１】特開平６−３００５９４号公報
【０００７】
【特許文献２】特開平７−３４５２２号公報
【０００８】
特許文献２には下水道の管系にクランク状の構造を用い、満管に近い状態で汚水の流量を計測する思想が記載されている。
【発明の概要】
【発明が解決しようとする課題】
【０００９】
汚水流量計の精度の検査方法であって、信頼性の高い精度が得られる方法を得ることを課題とする。また、上水道の流量計で計測する際に満管状態で計測する方法を得ることを課題とする。また、汚水流量計を流下する計測対象水量と、量水器を流下する計測対象水量とを一致させるために、給水停止時に完全止水ができる方法を得ることを課題とする。また、汚水流量計の精度の検証を、汚水流況に近似した給水状況の下で行うために、人工的に再現した変動給水下で行うシステムを提供することを課題とする。
【課題を解決するための手段】
【００１０】
下水道に用いる流量計の精度検査方法であって、水の供給量調節方法を把握する工程と、供給量調節方法を用いて瞬時流量を変動させて水を供給する工程と、正しく計測できる比較用流量計により供給された水の量を計測する工程と、検査対象の流量計により比較用流量計で計測した水の量を計測する工程と、前記比較用流量計の計測値と前記検査対象の流量計の計測値との比較によって検査対象の流量計の精度を判断する工程とからなる下水道に用いる流量計の精度検査方法によって課題を解決する。
【００１１】
下水道を流れる下水は、図６に示す通り、瞬時流量や流速が常に変化している。このため、下水道に用いる流量計の精度の検査は、下水道の流量を測定する際の状況になるべく近づけるために、瞬時流量が変化する状況下で行うことが望ましい。そのような状況下で精度が高いことが保証された汚水流量計は、下水道の使用量を正確に計測でき、高い信頼性を得ることができる。この点に着目した精度検査方法はこれまで見当たらず、本願発明はこれを実現した点が特徴である。すなわち、まず供給量調節方法を把握する工程を設け、精度を検査する際に瞬時流量を変動させて水を供給するようにした。瞬時流量が変化する状況を再現するには、測定を行う現地において、水の供給量を調節する必要がある。このため、まず、測定を行う現地における水の供給量の調節の方法を把握し、次にその調節方法を用いて水の瞬時流量を変化させる。
【００１２】
例えば水の供給が給水車を用いて行われる場合には、給水車の給水バルブの開閉度合を変えることにより、瞬時流量を変動させる。行う。給水バルブの開閉度合に対応する給水量は、流量計を取り付けた位置までの下水管の距離や傾斜、水圧、下水管の直径により変動するため、測定を行う現地において、その場所特有の、バルブの開閉度合に対応する給水量を把握する必要がある。
【００１３】
水の供給は、給水車に限らず、現地の防火用水樽や受水槽を用いる場合がある。
【００１４】
比較用流量計が上水道に用いる流量計であり、比較用流量計による計測が満管の状態で行われることを特徴とする精度検査方法によって課題を解決する。
【００１５】
上水道に用いる流量計は、公的な基準を満たしているため、比較用流量計として用いるのに適している。上水道に用いる流量計は満管の状態で計測することを前提としているため、上水道で用いる流量計で正しい計測値を得るためには、満管の状態で計測する必要がある。
【００１６】
給水機と検査対象の流量計の間に、流水が下降した後平坦に進みその後に再度上昇するコの字型の管系が設けられており、コの字型の管系のうち下降した後の平坦な部分に、比較用流量計が設けられており、コの字型の管系の前後の上端にバルブが設けられており、給水の停止と同時に前記バルブのうち後方のバルブを開けることにより後方のバルブより下流の水が全て流れる。
【００１７】
汚水流量計の精度の検査方法であって、信頼性の高い精度を得るためには、比較用流量計で計測した対象が、欠けたり加わったりすることなくすべて検査対象の流量計により計測される必要がある。このため、給水機が給水を停止するのと同時に、検査対象の流量計への水の流れを停止させる必要がある。上記コの字型の管系とバルブの機構は、そのための機構である。
【発明の効果】
【００１８】
下水道に用いる流量計の精度を検査する方法であって、信頼性の高い方法を得ることができる。
【図面の簡単な説明】
【００１９】
【図１】本願に係る方法を利用している状態を示す。
【図２】本願に係る方法のエアー抜き弁と水の流下を示す。
【図３】本願に係る方法で変動給水の流量を示す。
【図４】本願に係る方法の利用例を示す。
【図５】本願に係る方法の利用例を示す。
【図６】下水道における平常時の汚水の流量・流速・水位を示す。
【発明を実施するための形態】
【実施例１】
【００２０】
図１から図３により、実施例１を説明する。図１に本願に係る方法を利用している状態を示す。
【００２１】
測定現場での測定値の誤差の許容範囲すなわち使用公差に関し、汚水流量計の使用公差には公的な規制がないため、量水器の規則に倣い「検査公差×２」とする。
【００２２】
検査システム１では、まず、テスト給水を行う。テスト給水では、給水車２により給水を行い、水はクランク配管された管系５を流れ、給水桝３にたまる。給水桝３にたまった水は自然な流れとなって管１２を流れ、計測桝４に流れる。管１２の長さＬ３は管径の１０倍以上である。計測桝４には汚水流量計８が設けてあり、流れる水の流速と流量が時刻とともに計測され、記録される。記録された変動給水量は、これに応じた電動弁の動作開度と流下速度に変換される（汚水流量計変換機２０）。すなわち、電動弁の動作開度が広ければ単位時間に流れる水の量は多く、電動弁の動作開度が狭ければ単位時間に流れる水の量は少なく、また流水速度が速ければ単位時間に流れる水の量は多く、流水速度が遅ければ単位時間に流れる水の量は少なくなるので、電動弁の開度設定と汚水流量計で記録された変動給水量が近似した水の流れを再現できるよう、電動弁の開動と動作を設定する。
【００２３】
テスト給水の次に、実際の計測を行う。すなわち、再び給水車２によって給水を開始する。給水は、電動弁によって図３に示すような変動給水を再現して行われる。
【００２４】
水は、まず、正しい値を示す量水器によって計測され、さらに下流の汚水流量計によって計測される。この時、量水器は、クランク配管の底部に設けてあるので完全に満管状態で計測される。
【００２５】
図２に示すように、水を停止する際には、給水車の給水バルブ（図示せず）を閉じると同時に、下流のエアー抜き弁７を開ける。この時、サイフォンの原理により管の中の水は、給水バルブを閉じる前の状態（ａ）から（ｂ）の状態となる。計測開始は、常に図２（ｂ）の状態からであるので、これにより、量水器を流下する水量と汚水流量計を流下する水量が完全に一致する。
【００２６】
図４及び図５に、具体的な計測例を示す。図４は、商業施設の一階フロアであり、下水道の桝はＡ計測区とＢ計測区の二カ所にある。この商業施設では、公的機関から認定を得ることのできる精度の高い汚水流量計を用いて、下水道の使用量を正確に計測し下水道の費用を減らすことを検討し、汚水流量計により、下水道の利用量を計測する必要が生じた。なお、Ｂ計測区は雨水が下水道に混入する量を計測しているため、Ａ計測区の計測値から雨水分を差し引くためのものである。図５は計測値を表にまとめたものである。平成２４年２月１０日に、Ａ計測区とＢ計測区の二か所を、それぞれ三回ずつ計測した。水の投入方法は瞬時流量が変動する変動給水であり、０ｍ３、１０ｍ３、２５ｍ３、４０ｍ３、２５ｍ３、１０ｍ３、０ｍ３のように瞬時流動が変更するようにした。例えばＡ計測区では、１回目の計測値は２．２５８ｍ３、２回目の計測値は３．０５３ｍ３、１回目の計測値は２．２５８ｍ３であり、比較するべき流量計との差異を計算すると、平均０．７６％の誤差がある。この誤差は、使用公差（検査公差±３％×２＝±６％）の範囲内であるのでこの汚水流量計は使用できる。
【産業上の利用可能性】
【００２７】
公共の下水管に設置された汚水流量計の計測精度を確認でき、公共下水の水量管理を正しく行える。
【符号の説明】
【００２８】
１  検査システム
４  計測桝
５  クランク配管
６  上流のエアー抜き弁
７  下流のエアー抜き弁
８  汚水流量計
９  量水器
１０  電動弁
１１  地面
１２  管
２０  汚水流量計変換機
【図１】
2014025787.tif 000003
【図２】
2014025787.tif 000004
【図３】
2014025787.tif 000005
【図４】
2014025787.tif 000006
【図５】
2014025787.tif 000007
【図６】
2014025787.tif 000008
【手続補正書】
【提出日】平成25年1月8日(2013.1.8)
【手続補正１】
【補正対象書類名】特許請求の範囲
【補正対象項目名】全文
【補正方法】変更
【補正の内容】
【特許請求の範囲】
【請求項１】
下水道に用いる流量計の精度検査方法であって、
測定地の水の供給量調節方法を把握する工程と、
前記供給量調節方法を用いて瞬時流量を変動させて水を供給する工程と、
正しく計測できる比較用流量計により供給された水の量を計測する工程と、
検査対象の流量計により比較用流量計で計測した水の量を計測する工程と、
前記比較用流量計の計測値と前記検査対象の流量計の計測値との比較によって検査対象の流量計の精度を判断する工程とからなり、
前記比較用流量計が上水道に用いる流量計であって前記比較用流量計による計測が満管の状態で行われ、
給水装置と前記検査対象の流量計の間に流水が下降した後平坦に進みその後に再度上昇するコの字型の管系が設けられており、前記コの字型の管系のうち下降した後の平坦な部分に前記比較用流量計が設けられており、
前記コの字型の管系の後方の上端にエア抜きバルブが設けられており、
給水の停止と同時に前記エア抜きバルブを開けることにより前記エア抜きバルブよりも下流の水が全て流れる下水道に用いる流量計の精度検査方法。
【請求項２】
前記供給量調節方法を把握する工程が、供給量に対応する給水装置のバルブの開く度合を把握する工程であることを特徴とする請求項１に記載の下水道に用いる流量計の精度検査方法。
【請求項３】
前記水の供給量が自動制御によって調節されることを特徴とする請求項１又は請求項２に記載の下水道に用いる流量計の精度検査方法。